(57)【要約】【課題】  過剰の水遣りでも室内やベランダなどの置き場となる床面を汚さず、且つ長期間水遣りしなくとも土の乾燥で草花を枯らしてしまうことのない木製の植木鉢を提供する。【解決手段】  木製板の側壁板２、３、４の各側辺縁を結合して鉢側壁体１を形成し、その鉢側壁体１の各内壁の低部に台座６を設け、該台座６上に四方に同高に立ち上げた辺縁立壁７ａが前記鉢側壁体１の四方の内壁に密接す大きさの合成樹脂製の水受け皿７を載置し、該水受け皿７の前記辺縁立壁７aの上端部７ｂに鉢側壁体１の内壁に全周の辺縁８ｂが密接する大きさの合成樹脂製の網状底板８aを載置し、該網状底板８の載置位置よりも低い部位の鉢側壁体１の一部を切欠して下開きコ字型の切欠部９を形成し、前記水受け皿７の切欠部９側の辺縁立壁を切欠部９から側壁２の外面に突出させて水受け皿７の底面７ｂに続く突出底面１０ａを有する水見部１０を形成する。【選択図】      図２
2007259833.tif 000002
【特許請求の範囲】
【請求項１】
内部の縦断面形状が逆さ台形となって内部に下窄まりの空間が形成される植木用の木製鉢側壁体において、
該鉢側壁体の内壁低部の周囲に同じ高の上面を形成した台座を設け、該台座上に、同高に立ち上げた辺縁立壁が前記鉢側壁体の内壁に密接する大きさの合成樹脂製の水受け皿を載置し、
該水受け皿の前記辺縁立壁の上端部に、前記鉢側壁体の内壁に全周の辺縁が密接する大きさの合成樹脂製の孔開き底板を載置し、
前記底板の載置位置よりも低い部位の前記鉢側壁体の側壁の一部を下開きコ字型に切り欠いて前記鉢側壁体に切欠部を形成し、
前記水受け皿の前記切欠部に面した一部を前記切欠部から前記鉢側壁体の側壁の外側に、前記水受け皿の底面に続く突出底面と前記水受け皿の辺縁立壁に続く辺縁立壁を突出させて水見部を形成して成り、
前記鉢側壁体の外側から前記水見部を介して前記水受け皿内の水の状態を確認できるようにしたことを特徴とする木製植木鉢。
【請求項２】
底板の板面に複数間隔を置いて設けた円形の開口部下に、その円形上面部を開口し、吸上げ孔を設けた円形下面部を前記水受け皿の底面に接する高さに形成した逆円錐台形の水吸上げ部をそれぞれ設けたことを特徴とする請求項１に記載の木製植木鉢。
【請求項３】
水見部を水受け皿本体から分離するとともに、該水受け皿本体と水見部との接続面が液密になって水受け皿本体と水見部とが着脱可能になる着脱手段を設けたことを特徴とする請求項１又は２に記載の木製植木鉢。
【請求項４】
水見部を水受け皿本体から分離するとともに、該水受け皿本体に突出状態のときに該水受け皿本体と水見部の接続面が液密になって水受け皿本体の内部に水見部が出没可能になる出没手段を設けたことを特徴とする請求項１から３のうちいずれかに記載の木製植木鉢。
【請求項５】
水見部の辺縁立壁の上端部を水受け皿本体側の辺縁立壁の上端部よりも一段低く形成し、組立て時に水見部を切欠部に容易に差込みできるようにしたことを特徴とする請求項１から４のうちいずれかに記載の木製植木鉢。
【請求項６】
鉢側壁体の側壁に設けた切欠部の水見部の辺縁立壁に近接す両側を除く上部辺縁を、水見部の辺縁立壁の上端部の高さよりも一段低く垂れ下げて形成したことを特徴とする請求項１から５のうちいずれかに記載の木製植木鉢。
【発明の詳細な説明】
【技術分野】
【０００１】
本発明は、側壁が木製の植木鉢に関する。
【背景技術】
【０００２】
通常の木製の植木鉢（プランターと呼ばれる）は、周囲の側壁を木製板で形成し、その側板の内面の底部寄り部位に溝を周設して、その溝に底板を水平に嵌め込んで底を塞ぎ、側板の周囲に金属などの帯を巻いたり、木枠で囲って側板を押えて釘やネジで固定するなどして製造されている。
木製の底板は、水遣りで常に培土に撒かれる水分で濡れた状態となっており、腐りやすい難点があり、このため、防腐剤の含浸処理や塗布処理を施したり、底板部分だけ腐らない合成樹脂板に替えるなどして長持ちでるきように工夫している。
そのように底板に合成樹脂板を用いたものとしては、下記特許文献１の木製プランターが提案されている。
【特許文献１】特開２００４−１６６６６２
【発明の開示】
【発明が解決しようとする課題】
【０００３】
上記特許文献１の木製プランターは、溝に網状の底板を嵌めみことによって底が抜にくくなるなどの利点がある一方、庭に置く場合には良いが、ベランダや室内に置く場合には、合成樹脂製の底板の網目からの水漏れで、床などの置き場を汚す難点があり、このため、使用する際には、そのような木製プランターの下には別に水受け皿を敷くなどの対策を採らねばならないといった面倒さがあった。
また、木製プランターは木肌からの水分散逸が多く起こるため、陶器製に較べて乾燥が極めて早く、旅行などで家を留守にすると、短期間に植木を枯らしてしまうことがあった。
そこで本発明は、過剰の水遣りでも室内やベランダなどの置き場となる床面を汚さず、且つ、旅行などで家を留守にして長期間水遣りできない場合でも土が乾燥して草花を枯らしてしまうことのない木製の植木鉢を提供することを目的とする。
【課題を解決するための手段】
【０００４】
上記課題を解決するため、本発明の木製植木鉢は、内部の縦断面形状が逆さ台形となって内部に下窄まりの空間が形成される植木用の木製鉢側壁体において、該鉢側壁体の内壁低部の周囲に同じ高の上面を形成した台座を設け、該台座上に、同高に立ち上げた辺縁立壁が前記鉢側壁体の内壁に密接する大きさの合成樹脂製の水受け皿を載置し、該水受け皿の前記辺縁立壁の上端部に、前記鉢側壁体の内壁に全周の辺縁が密接する大きさの合成樹脂製の孔開き底板を載置する。
そして、前記底板の載置位置よりも低い部位の前記鉢側壁体の側壁の一部を下開きコ字型に切り欠いて前記鉢側壁体に切欠部を形成し、前記水受け皿の前記切欠部に面した一部を前記切欠部から前記鉢側壁体の側壁の外側に、前記水受け皿の底面に続く突出底面と前記水受け皿の辺縁立壁に続く辺縁立壁を突出させて水見部を形成して成り、前記鉢側壁体の外側から前記水見部を介して前記水受け皿内の水の状態を確認できるようにしたことを特徴とする。
【０００５】
請求項２に記載の発明は、上記発明の構成において、前記底板の板面に複数間隔を置いて設けた円形の開口部下に、その円形上面部を開口し、吸上げ孔を設けた円形下面部を前記水受け皿の底面に接する高さに形成した逆円錐台形の水吸上げ部をそれぞれ設けたことを特徴とする。
【０００６】
請求項３に記載の発明は、上記各発明の構成において、前記水見部を水受け皿本体から分離するとともに、該水受け皿本体と水見部との接続面が液密になって水受け皿本体と水見部とが着脱可能になる着脱手段を設けたことを特徴とする。
【０００７】
請求項４に記載の発明は、上記各発明の構成において、前記水見部を水受け皿本体から分離するとともに、該水受け皿本体に突出状態のときに該水受け皿本体と水見部の接続面が液密になって水受け皿本体の内部に水見部が出没可能になる出没手段を設けたことを特徴とする。
【０００８】
請求項５に記載の発明は、上記各発明の構成において、前記水見部の辺縁立壁の上端部を水受け皿本体側の辺縁立壁の上端部よりも一段低く形成し、組立て時に水見部を切欠部に容易に差込みできるようにしたことを特徴とする。
【０００９】
請求項６に記載の発明は、上記各発明の構成において、前記鉢側壁体の側壁に設けた切欠部の水見部の辺縁立壁に近接す両側を除く上部辺縁を、水見部の辺縁立壁の上端部の高さよりも一段低く垂れ下げて形成したことを特徴とする。
【発明の効果】
【００１０】
本発明は上記構成であり、過剰の水遣りでも、流れ落ちた水は水受け皿に溜まるので室内やベランダなどの置き場となる床面を汚さない。
また、旅行などで家を長期間留守にして、水遣りできない場合でも、多めに水を水受け皿に入れて置けば、その溜まった水はしばらく干上がるまで時間がかかり、長期間にわたって草花を枯らしてしまうことが回避できる。
その際に、請求項２に記載の水吸上げ部を設けた形態では水受け皿に溜まった水が少なくなって水位が低くなっても、吸上げ孔から土に浸透した水が鉢内の土全体に滲み渡るので、草花は水受け皿の水を全て根から吸い上げることが可能となる。
また、水の管理する際に、水受け皿に溜まった水の状態を水見部の上から覗き込んで確認することができるので培土への過剰な水遣りと乾燥を避けることが可能となる。
【００１１】
請求項３に記載の発明は、水受け皿本体と水見部とが着脱可能であるので、土を入れずに使用していないとき、即ち販売時、収納時、運搬時などにおいて、上の植木鉢を下の植木鉢の空間内に上部の残して多くの部分を納めることで、嵩張らずに数多く重ねて積み上げることが可能となるので、保管する収納スペースを最小限にすることが可能となる。
【００１２】
請求項４に記載の発明は、上記請求項３に記載の発明と同様に、販売時、収納時、運搬時などにおいて、嵩張らずに数多く重ねて積み上げることが可能となるだけではなく、水見部を紛失することなく全体を１セットとして管理できる。
【００１３】
請求項５に記載の発明は、水受け皿と底板と分離させておき、後で組み立てるときに、前記水見部の辺縁立壁の上端部を水受け皿本体側の辺縁立壁の上端部よりも一段低く形成しておけば、水見部を下にして、水見部を切欠部に斜めに差し込んで水受け皿を台座上に載せることが可能に成るとともに、その段差の大きさで組立て時に水見部を切欠部に容易に差込みできるようになる。
そして、前記鉢側壁体から水受け皿と底板と分解して洗うことも簡単にできるようになる。
【００１４】
請求項６に記載の発明は、前記鉢側壁体の側壁に設けた切欠部の水見部の辺縁立壁に近接す両側を除く上部辺縁を水受け皿の水見部の辺縁立壁の上端部の高さよりも一段低く形成することで開口面積を狭め、風の出入りを最小限に抑えて水受け皿内の水の乾燥を防止することができる。
【発明を実施するための最良の形態】
【００１５】
本発明の最良の形態を以下の実施例により説明する。
本発明は、図１に示すように、同形で対向する長短２対の逆さ台形の木製の側壁板２、３、４、５を用い、それらの板の各側辺縁２ａ、３ａ、４ａ、５ａを結合してこの部分を釘、ネジ及び接着剤などで固定し、平面から見ると長方形で、側面から見ると下窄まりの鉢側壁体１を形成する。
前記側壁板２、３、４、５の使用木材は、培土を入れたときに変形しない程度の強度が得られる厚さがあれば、特に樹種は限定するものではなく、ラワンなどの南洋材や、桧などでも良い。また各板は単板でもまた数枚の張り合わせでも良く、さらに合板、集成材などでも良い。
そして、その板は、長持ちさせるために防腐剤や、塗料を塗布するなどの処理を施したものでも良い。
なお、本実施例では平面から見て長方形の態様で説明するが、その形状は多角形、正方形、円形、又はハート形などの各種形状であっても良い。
また、上部開口縁には、上枠１５を嵌めると、鉢側壁体１の強度が高められ、また、持ち運びの際の指掛かりの確保ができ、また見栄えも良くなる利点がある。
さらに、鉢側壁体１の外周中間部を金属帯や細い木を巻いて補強しても良い。
【００１６】
そして、図２に示すように、前記鉢側壁体１の各側壁板の内壁２ｂ、３ｂ、４ｂの低部にそれぞれの上面６ａを同高とした台座６を設けて、その台座６上に四方に同高に立ち上げた辺縁立壁７ａが前記鉢側壁体１の四方の内壁２ｂ、３ｂ、４ｂに密接する大きさの合成樹脂製の水受け皿７を載置する。
なお、図１に示すように、前記鉢側壁体１の側面には前記側壁板の側壁２ｂ、３ｂ、４ｂ、５ｂ下部の水受け皿７の辺縁立壁の高さにあたる一部まで切欠して下開きコ字型の開口部を形成し、その開口部に露出した辺縁立壁に対して蓋１４ａ付きの排水孔１４を設けることができる。そしてこの蓋１４ａを外せば水受け皿７内の水の抜取りができるので水受け皿７内の水量を適度に調節することができるようになる。
この蓋１４ａ付きの排水孔１４は大型の鉢側壁体１では複数設けても良い。
【００１７】
さらに、図２に示すように、前記水受け皿７の前記辺縁立壁７aの上端部７ｂに前記鉢側壁体１の内壁２ｂ、３ｂ、４ｂに全周の辺縁８ｂが密接する大きさの合成樹脂製の孔開き底板８を載置する。
この孔開き底板８は、排水可能な多数の孔をあけたもので、図２に示すように、網状底板８a や多数の貫通孔を開けた板（図省略）が使用できる。
【００１８】
そして、前記鉢側壁体１の側壁のうちの一つの側壁２の下部に、前記網状底板８aの載置位置よりも低い部位の一部を切欠して下開きコ字型の切欠部９を形成する。
そして、この水受け皿７の切欠部９側の辺縁立壁１０ｅを前記切欠部９から前記側壁２の外側に突出させて前記水受け皿７の底面７ｂに続く突出底面１０ａを有する水見部１０を形成する。
【００１９】
また、前記網状底板８aの板面には、前記水受け皿に溜まった水が少なくなって水位が低くなっても、吸上げ孔から土に浸透した水が鉢内の土全体に滲み渡ように、複数間隔を置いて設けた円形の開口部下に、その円形上面部を開口し、吸上げ孔１３を設けた円形下面部１２を前記水受け皿７の底面７ｅに接する高さに形成した逆円錐台形の水吸上げ部１１をそれぞれ設ける。
この水吸上げ部１１は、前記網状底板８aを下から支持する支柱の役目も合わせ持つ。
【００２０】
また、前記水見部１０は、水受け皿７本体から分離可能とする形態が可能である。
この分離する目的は、運搬する際や保管の際に、水受け皿７の水見部１０が切欠部９から側壁２の外面に突出していると、重ねたとき水見部１０が下の前記鉢側壁体１の上端枠に当たって、上の植木鉢を下の植木鉢の空間内に納めることができず、数多く重ねて積み上げたとき嵩張ってしまうので、前記水見部１０を分離することでそのような弊害を避けようとしたものである。
【００２１】
そのために、図３に示すように、前記水見部１０を水受け皿７本体から分離するとともに、該水受け皿７本体と水見部１０との接続面７ｃ、１０ｃが液密になって水受け皿７本体と水見部とが着脱可能になる着脱手段Ａを設けた形態（請求項３記載の発明）と、図４及び図５に示すように、該水受け皿７本体に突出状態のときに該水受け皿７本体と水見部１０の接続面７ｄ、１０ｄが液密になって水受け皿７本体の内部に水見部１０が出没可能になる出没手段Ｂを設けた形態（請求項４記載の発明）と可能である。
このように分離又は内部に没するようにすると、前記水受け皿７は前記切欠部９から外面には突出した部分がなくなるので、上の植木鉢を下の植木鉢の空間内に多くの部分を納めることが可能となるので、その分嵩張らずに数多く重ねて積み上げりことが可能となる。
【００２２】
また、図２に示すように、組立が簡単に行えるように、前記水見部１０の辺縁立壁１０ｅの上端部１０ｆの高さｈを水受け皿７本体側の前記辺縁立壁７aの上端部７ｂの高さＨよりも一段低く形成すると、前記水見部１０が切欠部９に容易に差込めるようになる。
【００２３】
さらに、図６に示すように、前記鉢側壁体１の側壁に設けた切欠部９の水見部１０の辺縁立壁１０ｅに近接す両側９ｂを除く上部辺縁９ａを水受け皿７の水見部１０の辺縁立壁１０ｅの上端部１０ｂの高さよりも一段低く形成すると、水受け皿７と切欠部９間の開口面積が狭められ、水受け皿７上への風の出入りが最小限に抑制できるので水受け皿７内のある水の蒸発は少なく抑えられ土の早期乾燥を防止することが可能となる。
【産業上の利用可能性】
【００２４】
本発明の木製植木鉢は上記構造であり、木製のほかに全て合成樹脂製とした鉢にも用いることが可能である。
【図面の簡単な説明】
【００２５】
【図１】本発明の斜視図である。
【図２】本発明の縦断斜視図である。
【図３】着脱可能な水受け皿とした形態における（イ）は水受け皿を装着したときの、（ロ）水受け皿を外したときの状態を示す各縦断斜視図である。
【図４】出没可能な水受け皿の形態における水受け皿を外したときの状態を示す縦断斜視図である。
【図５】出没可能な水受け皿とした形態における（イ）は水受け皿を出状態を、（ロ）は水受け皿を没状態としたときの各縦断斜視図である。
【図６】別の形態の縦断斜視図である。
【符号の説明】
【００２６】
１      鉢側壁体
２、３、４、５    側壁板
２ａ、３ａ、４ａ、５ａ    側壁板の側辺縁
２ｂ、３ｂ、４ｂ、５ｂ    側壁板の内壁
６      台座
６ａ    台座の上面
７      水受け皿
７ａ    水受け皿の辺縁立壁
７ｂ    水受け皿の辺縁立壁の上端部
７ｃ    水受け皿の水見部への接続面
７ｄ    水受け皿の水見部への接続面
７ｅ    水受け皿の底面
８      孔開き底板
８ａ    網状底板
８ｂ    網状底板の辺縁
９      鉢側壁体の切欠部
９ａ    切欠部の上部側の辺縁
１０    水見部
１０ａ  水見部の突出底面
１０ｂ  水見部の側部辺縁立壁
１０ｃ  水見部の水受け皿への接続面
１０ｄ  水見部の水受け皿への接続面
１０ｅ  水見部の辺縁立壁
１０ｆ  水見部の辺縁立壁の上端部
１１    水吸上げ部
１２    水吸上げ部の下面部
１３    吸上げ孔
１４    排水孔
１４ａ  排水孔の蓋
１５    上枠
【図１】
2007259833.tif 000003
【図２】
2007259833.tif 000004
【図３】
2007259833.tif 000005
【図４】
2007259833.tif 000006
【図５】
2007259833.tif 000007
【図６】
2007259833.tif 000008